(57)【要約】【目的】液晶画面の画像を感光材料の感光面に結像する時以外は感光材料の感光面を遮光し、結像時のみ感光材料の感光面に光を入射させる。【構成】印刷装置１０の入射窓２２が携帯電話１２の液晶画面１４に密着して、液晶画面１４の画像を印刷装置筐体１６に収納された感光フィルムＦの感光面に結像する。入射窓２２と感光フィルムＦとの間には、蛇腹５６が設けられており、蛇腹５６の開放された部分にはレンズアレイ５８が配置されている。このレンズアレイ５８は、走査手段によって入射窓２２に沿って往復動と可能とされており、入射窓２２に入射した光は、遮光され、又は感光フィルムＦの感光面に結像される。【選択図】  図１３
2004294609.tif 000002
【特許請求の範囲】
【請求項１】
感光材料を収納する筐体と、
前記筐体に形成され、表示画面に密着して前記表示画面を透過した光を前記感光材料の感光面へ入射させる入射窓と、
前記入射窓へ入射する光を遮断する遮光手段と、
前記遮光手段が開放された部分を通過した光を線状に収束して前記感光面に結像する線状結像手段と、
前記線状結像手段を前記入射窓の開口面に沿って往復動させる走査手段と、
を有することを特徴とする印刷装置。
【請求項２】
感光材料を収納する筐体と、
前記筐体に形成され、表示画面に密着して前記表示画面を透過した光を前記感光材料の感光面へ入射させる入射窓と、
前記入射窓へ入射する光を遮断する遮光手段と、
前記遮光手段に形成され、光を線状に収束して前記感光面に結像するスリットと、
前記スリットを前記入射窓の開口面に沿って往復動させる走査手段と、
を有することを特徴とする印刷装置。
【請求項３】
前記走査手段を作動して前記線状結像手段又は前記スリットを往走査したところで前記走査手段を停止して前記線状結像手段又は前記スリットを待機させて遮光状態を維持し、次の結像時に前記走査手段を作動して前記線状結像手段又は前記スリットを復走査したところで前記走査手段を停止して前記線状結像手段又は前記スリットを待機させて遮光状態を維持する制御手段を有することを特徴とする請求項１又は２に記載の印刷装置。
【請求項４】
前記表示画面を透過する光量を測光する測光手段を備え、前記制御手段は、前記測光手段によって測光された光量に基づいて前記走査手段の速度を制御することを特徴とする請求項３に記載の印刷装置。
【請求項５】
前記線状結像手段が、レンズアレイであることを特徴とする請求項１又は２に記載の印刷装置。
【請求項６】
前記線状結像手段が、多数の孔が形成された多孔板であることを特徴とする請求項１又は２に記載の印刷装置。
【請求項７】
感光材料を収納する筐体と、
筐体に形成され、表示画面に密着して前記表示画面を透過した光を前記感光材料の感光面へ入射させる入射窓と、
前記入射窓と前記感光材料との間に複数設けられ、通過する光を収束可能な大きさの複数の開口が形成された開口板と、
複数の前記開口板を相対移動させて前記開口を重ね合わせて光を通過させ、又は隣合う前記開口を隔てる隔壁と前記開口とを重ね合わせて光を遮断させる移動手段と、
を有することを特徴とする印刷装置。
【請求項８】
感光材料を収納する筐体と、
筐体に形成され、表示画面に密着して前記表示画面を透過した光を前記感光材料の感光面へ入射させる入射窓と、
前記入射窓と前記感光材料との間に設けられ、通過する光を収束可能な大きさの複数の開口が形成された開口板と、
隣合う前記開口を隔てる隔壁に支持され前記開口を開閉する蓋部材と、
前記蓋部材を一斉に動かして前記開口を一斉に開閉して光を通過させ、又は光を遮断させる開閉手段と、
を有することを特徴とする印刷装置。
【発明の詳細な説明】
【０００１】
【発明の属する技術分野】
本発明は、携帯電話やデジタルカメラ等の表示画面に密着して、筐体内の感光材料の感光面に表示画面の画像を形成する印刷装置に関する。
【０００２】
【従来の技術】
本発明者は、携帯電話やデジタルカメラ等に備えられた表示画面に密着して筐体内に収納する感光材料の感光面に表示画面の画像を形成する印刷装置を提案した。
【０００３】
従来から、液晶画面を透過した光を利用して液晶画面の画像を感光材料の感光面に形成する印刷装置（例えば、特許文献１、又は２参照）は考案されているが、図５９に示す従来の印刷装置１００は、印刷装置１００自体に備えられた液晶画面１０２の画像を感光材料１０４の感光面１０４Ａに形成するというもので、感光材料１０４の感光面１０４Ａには液晶画面１０２を透過した光しか入射しない。このため、光源１０６を消灯すれば感光材料１０４の感光面１０４Ａが感光してしまうことはない。
【０００４】
これに対して、本発明者が提案した携帯型の印刷装置の場合、表示画面を透過した光を感光材料の感光面へ入射させるための透過窓を筐体に設ける必要がある。このため、画像形成時以外にも、感光材料の感光面が感光してしまうという問題があった。
【０００５】
【特許文献１】
特開２０００−１１８５３３号公報
【特許文献２】
特開２００２−１４５２６６号公報
【０００６】
【発明が解決しようとする課題】
上述の事情に鑑み、本発明は、表示画面に密着して筐体内に収納された感光材料の感光面に表示画面の画像を形成する印刷装置において、画像形成時以外には感光材料の感光面を遮光し、画像形成時のみ感光材料の感光面に光を入射させることを目的とするものである。
【０００７】
【課題を解決するための手段】
請求項１に記載の印刷装置は、感光材料を収納する筐体と、前記筐体に形成され、表示画面に密着して前記表示画面を透過した光を前記感光材料の感光面へ入射させる入射窓と、前記入射窓へ入射する光を遮断する遮光手段と、前記遮光手段が開放された部分を通過した光を線状に収束して前記感光面に結像する線状結像手段と、前記線状結像手段を前記入射窓の開口面に沿って往復動させる走査手段と、を有することを特徴とする。
【０００８】
請求項１に記載の印刷装置では、筐体に形成された入射窓が表示画面に密着して、表示画面を透過した光が筐体に収納された感光材料の感光面に入射される。入射窓に入射する光は、遮光手段の開放された部分を通過し、線状結像手段によって線状に収束されて感光面に結像される。そして、線状結像手段が走査手段によって入射窓の開口面に沿って往復動されることで、表示画面の画像が感光面に形成される。また走査手段によって、線状結像手段を入射窓と感光材料との間から退避させることで、入射窓に入射する光を遮断することができる。
【０００９】
また、シャッタ機能に絞り機能を併せて持たせるようにしたことで、省スペース化でき、印刷装置を小型化できる。
【００１０】
請求項２に記載の印刷装置は、感光材料を収納する筐体と、前記筐体に形成され、表示画面に密着して前記表示画面を透過した光を前記感光材料の感光面へ入射させる入射窓と、前記入射窓へ入射する光を遮断する遮光手段と、前記遮光手段に形成され、光を線状に収束して前記感光面に結像するスリットと、前記スリットを前記入射窓の開口面に沿って往復動させる走査手段と、を有することを特徴とする。
【００１１】
請求項２に記載の印刷装置では、スリットが遮光手段に形成され、入射窓に入射する光がこのスリットによって線状に収束されて感光面に結像され、スリットが走査手段によって入射窓の開口面に沿って往復動されることで、表示画面の画像が感光面に形成される。また、走査手段によってスリットを入射窓と感光材料との間から退避させることで、入射窓に入射する光を遮断することができる。
【００１２】
また、遮光手段にスリットを形成するだけという簡易な構成で、シャッタ機能と絞り機能を併せて備えることができる。
【００１３】
請求項３に記載の印刷装置は、請求項１又は２に記載の印刷装置であって、前記走査手段を作動して前記線状結像手段又は前記スリットを往走査したところで前記走査手段を停止して前記線状結像手段又は前記スリットを待機させて遮光状態を維持し、次の結像時に前記走査手段を作動して前記線状結像手段又は前記スリットを復走査したところで前記走査手段を停止して前記線状結像手段又は前記スリットを待機させて遮光状態を維持する制御手段を有することを特徴とする。
【００１４】
請求項３に記載の印刷装置では、制御手段によって走査手段が作動され、又は停止されることで、線状結像手段又はスリットは、往走査したところで待機して遮光状態を維持し、次の結像時に復走査したところで待機して遮光状態を維持する。これによって、感光面は画像形成時以外は完全に遮光される。
【００１５】
請求項４に記載の印刷装置は、請求項３に記載の印刷装置であって、前記表示画面を透過する光量を測光する測光手段を備え、前記制御手段は、前記測光手段によって測光された光量に基づいて前記走査手段の速度を制御することを特徴とする。
【００１６】
請求項４に記載の印刷装置では、測光手段によって表示画面を透過する光量が測光され、制御手段が、測光手段によって測光された光量に基づいて走査手段の速度を制御する。これによって、表示画面の画像が、適当な明るさで感光面に形成される。
【００１７】
請求項５に記載の印刷装置は、請求項１又は２に記載の印刷装置であって、前記線状結像手段が、レンズアレイであることを特徴とする。
【００１８】
請求項５に記載の印刷装置では、遮光手段が開放された部分を通過する光のうち平行光のみがレンズアレイによって感光面に結像されるので、表示画面の画像が感光面に鮮明に形成される。。
【００１９】
請求項６に記載の印刷装置は、請求項１又は２に記載の印刷装置であって、前記線状結像手段が、多数の孔が形成された多孔板であることを特徴とする。
【００２０】
請求項６に記載の印刷装置では、遮光手段が開放された部分を通過する光が、多孔板によってドット単位で収束されて感光面に結像されるので、表示画面の画像が感光面に鮮明に形成される
請求項７に記載の印刷装置は、感光材料を収納する筐体と、筐体に形成され、表示画面に密着して前記表示画面を透過した光を前記感光材料の感光面へ入射させる入射窓と、前記入射窓と前記感光材料との間に複数設けられ、通過する光を収束可能な大きさの複数の開口が形成された開口板と、複数の前記開口板を相対移動させて前記開口を重ね合わせて光を通過させ、又は隣合う前記開口を隔てる隔壁と前記開口とを重ね合わせて光を遮断させる移動手段と、を有することを特徴とする。
【００２１】
請求項７に記載の印刷装置では、入射窓と感光材料との間に、開口板が複数設けられ、入射窓に入射した光は、この開口板の開口を通過する際に収束されて感光面に結像される。これによって、表示画面の画像を鮮明に感光面に形成できる。
【００２２】
この複数の開口板は、移動手段によって相対移動され、開口を重ね合わせることによって光を通過させ、又は隣合う開口を隔てる隔壁と開口とを重ね合わせることによって光を遮断する。このように、絞り機能にシャッタ機能を併せ持つようにしたので、印刷装置を省スペース化でき、小型化できる。
【００２３】
請求項８に記載の印刷装置は、感光材料を収納する筐体と、筐体に形成され、表示画面に密着して前記表示画面を透過した光を前記感光材料の感光面へ入射させる入射窓と、前記入射窓と前記感光材料との間に設けられ、通過する光を収束可能な大きさの複数の開口が形成された開口板と、隣合う前記開口を隔てる隔壁に支持され前記開口を開閉する蓋部材と、前記蓋部材を一斉に動かして前記開口を一斉に開閉して光を通過させ、又は光を遮断させる開閉手段と、を有することを特徴とする。
【００２４】
請求項８に記載の印刷装置では、入射窓と感光材料との間に、開口板が設けられ、入射窓に入射した光は、この開口板の開口を通過する際に収束されて感光面に結像される。
【００２５】
開口板の隣合う開口を隔てる隔壁には、開口を開閉する蓋部材が支持されている。この蓋部材は、開閉手段によって一斉に動かされて開口を一斉に開閉する。これによって、入射窓に入射した光が、開口を通過し、又は遮断される。
【００２６】
【発明の実施の形態】
以下に図面を参照しながら本発明の実施形態に係る印刷装置について説明する。
【００２７】
［印刷装置の概略構成］
図１、図２に示すように、印刷装置１０は、携帯電話１２（表示装置）に備えられた液晶画面１４に密着して、液晶画面１４の画像を印刷装置筐体１６に収納された感光フィルムＦに結像する。
【００２８】
図３に示すように、液晶画面１４の背面には、バックライト１８が備えられており、液晶画面１４の画像は、バックライト１８から発光されて液晶画面１４を透過した光によって視認できるようになっている。
【００２９】
印刷装置筐体１６には、感光フィルムＦを複数枚重ねて収納したフィルムケース１９が、感光フィルムＦの感光面が液晶画面１４に面するように収納され、印刷装置筐体１６には液晶画面１４に密着し、液晶画面１４を透過した光を感光フィルムＦの感光面に入射させる入射窓２２が備えられている。この入射窓２２は光を透過する透明な樹脂板とされている。
【００３０】
透過窓２２と感光フィルムＦとの間には、シャッタ２４が設けられている。シャッタ２４は、入射窓２２に入射する光を通過させて液晶画面１４の画像を感光フィルムＦの感光面に結像させ、又は入射窓２２に入射する光を遮断して感光フィルムＦの感光を防止している。
【００３１】
そして、フィルムケース１９に形成された感光フィルム排出口１９Ａと印刷装置筐体１６に形成された感光フィルム排出口１６Ａとの間には、排出ローラ２６が配置され、液晶画面１４の画像が結像された感光フィルムＦは、排出ローラ２６によって印刷装置筐体１６から排出される。
【００３２】
また、フィルムケース１９の底面１９Ｂには押し出しバネ１７が設けられており、感光フィルムＦが１枚抜き取られる毎に次の感光フィルムＦの感光面がシャッタ２４の手前で位置決めされるように感光フィルムＦをシャッタ２４側へ押圧している。
【００３３】
以下、印刷装置１０及び印刷装置１０の変形例に備えられた機構毎に説明する。なお、印刷装置１０の変形例で印刷装置１０と同じ構成には同一符号を付している。
【００３４】
［位置決め機構］
図１に示すように、液晶筐体２８の液晶画面１４の周辺には４個の位置決め用凹部２８Ａが形成されている。また、図４に示すように、印刷装置筐体１６の入射窓２２の周辺には、位置決め用凹部２８Ａに係合する４個の位置決め用凸部１６Ａが形成されている。これらの位置決め用凹部２８Ａと位置決め用凸部１６Ａを係合させることで、入射窓２２が液晶画面１４に対して位置決めされるので、液晶画面１４の画像が感光フィルムＦの感光面に位置がずれて結像されてしまうことはない。
【００３５】
［位置決め機構の変形例▲１▼］
図５に示すように、印刷装置２０は、印刷装置１０とは位置決め機構が異なる。汎用の携帯電話３２の液晶画面１４の下方には印刷装置２０を位置決めするための液晶側位置決めマーク３６がユーザーによって貼り付けられている。（この貼付け方法については後述する。）そして、印刷装置２０の印刷装置筐体３８には液晶側位置決めマーク３６の周辺に密着する密着板３８Ａが形成されている。密着板３８Ａには位置決めマーク３６を透視できる透視部３８Ｂが設けられており、透視部３８Ｂには位置決めマーク３６と重なって所定の形状を構成する印刷側位置決めマーク４２が形成されている。
【００３６】
ここで、液晶側位置決めマーク３６と印刷側位置決めマーク４２の形状について説明する。
【００３７】
図６（ａ）に示すように、印刷側位置決めマーク４２は、略Ｘ字状の空白部４２Ａを形成する４つの三角形４２Ｂで構成され、液晶側位置決めマーク３６は、空白部４２Ａに収まる×型をしている。そして、液晶側位置決めマーク３６の中心部と空白部４２Ａの中心部が一致した状態になると、入射窓２２（図１１参照）が液晶画面１４に対して位置決めされたことが示され、図６（ｂ）に示すように、液晶側位置決めマーク３６の中心部が空白部４２Ａの中心部に対してずれた状態になると、入射窓２２（図１１参照）が液晶画面１４に対して位置がずれていることが示される。
【００３８】
また、図７（ａ）、図７（ｂ）に示すように、液晶側位置決めマーク３７を丸状とし、印刷側位置決めマーク４３を円状とし、中心に向かって出張り４３Ａを均等に設けたものも同様の効果が得られる。また、図８（ａ）、図８（ｂ）に示すように、白三角形のマーク群３９を携帯電話側、黒三角形のマーク群４５を印刷装置側に設けてマーク群３９とマーク群４５の三つの頂点が一致するように合わせても良い。
【００３９】
ここで、液晶側位置決めマーク３６を液晶筐体４６に貼り付ける方法について説明する。
【００４０】
図９に示すように、液晶側位置決めマーク３６（図５参照）を液晶筐体４６に貼り付けるために貼付治具４４を使用する。貼付治具４４は、樹脂やアルミニウム等で形成された矩形状の薄板で、液晶画面１４の形状、大きさとほぼ等しい孔４４Ａと、液晶側位置決めマーク３６と同じ形状で、一回り大きくされた孔４４Ｂが形成されている。
【００４１】
図１０に示すように、まず、孔４４Ａを液晶画面１４の外縁に合わせて貼付治具４４を液晶画面１４の周辺に密着させる。そして、液晶側位置決めマーク３６を孔４４Ｂを通して液晶筐体４６に貼り付ける。これによって、液晶側位置決めマーク３６を、液晶画面１４を基準として液晶筐体４６の所定位置に容易に貼り付けることができる。
【００４２】
このように、液晶側位置決めマーク３６を貼付治具４４を使用して液晶筐体４６に貼り付けるようにすることで、印刷装置２０を位置決めするための機構を備えない汎用の携帯電話３２に対応可能となる。
【００４３】
また、図１１に示すように、入射窓２２の周辺には、４個のゴム板５２が設けられている。このゴム板５２によって入射窓２２が液晶画面１４に密着する際の衝撃が吸収されると共に、ゴム板５２の表面の摩擦力によって印刷装置筐体３８と液晶筐体４６とが滑らないようになっている。このため、入射窓２２が液晶画面１４に対して位置がずれない。
【００４４】
［シャッタ］
図１２、図１３（ａ）、（ｂ）には、図３に示すシャッタ２４を詳細に示している。図１２に示すように、蛇腹５６が入射窓２２に面して設けられている。蛇腹５６には幅方向に向かって開口部が形成され、この開口部に、セルフォックレンズ（商品名）が直線状に密着配列されたレンズアレイ５８が取り付けられている。このレンズアレイ５８は、蛇腹５６が伸縮する方向に移動可能となっている。
【００４５】
即ち、リードスクリュー６２とガイドバー６４が、レンズアレイ５８の長手方向に直行する方向に延出し、レンズアレイ５８の長手方向の一端部は連結具６６、６７によってリードスクリュー６２とガイドバー６４に連結されている。連結具６６には雌ネジが切られており、リードスクリュー６２と噛み合っている。
【００４６】
そして、後述するように演算された走査速度に対応した回転速度でモーター６８を作動させてリードスクリュー６２を回転させると、レンズアレイ５８が、矢印方向に往復動して入射窓２２に面して蛇腹５６を伸縮させる。なお、レンズアレイ５８の長手方向の他端部にもガイドバー６４と連結具５７が設けられているが、煩雑になるため図示を省略する。
【００４７】
図１３（ａ）に示すように、レンズアレイ５８が入射窓２２に面する位置から右側へ退避すると、入射窓２２に入射する光は遮断され、図１３（ｂ）に示すように、レンズアレイ５８が入射窓２２に面してライン走査すると、入射窓２２に入射する光はレンズアレイ５８によって収束されて結像位置にある感光フィルムＦの感光面に結像される。このように、シャッタ２４に絞り機能を併せて持たせるようにしたので、絞り機構のスペースの分だけ省スペース化でき、印刷装置１０を小型化できる。
【００４８】
ここで、レンズアレイ５８の走査方法について説明する。印刷装置１０では、電源７３（図１５参照）が投入された後、図１４に示す処理ルーチンが実行され、ステップ２０１へ進む。
【００４９】
ステップ２０１ではプリントボタン７２（図１、図１５参照）が押されるまで否定判定を繰り返し、肯定されるとステップ２０２へ進む。ステップ２０２では、測光部７４（図４、図１５参照）が、液晶画面１４を透過した光量を測光し、露光量決定部７６（図１５参照）が、電源７３が投入された後作動している測光部７４によって測光された光量に基づいて、感光フィルムＦの感光面の露光量を決定する。
【００５０】
そして、ステップ２０３へ進む。ステップ２０３では、走査速度演算部７８（図１５参照）が、露光量決定部７６によって決定された露光量に基づいてレンズアレイ５８の走査速度を演算し、走査制御部８２（図１５参照）が、走査速度演算部７８によって演算された走査速度に決定する。
【００５１】
そして、ステップ２０４へ進む。ステップ２０４では、走査制御部８２が、レンズアレイ５８の前回の走査方向をメモリから読み出し、ステップ２０５へ進む。
【００５２】
ステップ２０５では、走査制御部８２によってレンズアレイ５８の前回の走査が往走査と判断されると、ステップ２０６へ進む。ステップ２０６では、走査制御部８２が、モーター６８を作動させてレンズアレイ５８をステップ２０３で決定された走査速度で復走査させ、液晶画面１４の画像を感光フィルムＦの感光面に結像させる。そして、レンズアレイ５８が復走査されたところで、走査制御部８２は、モーター６８を停止させてレンズアレイ５８を待機させ、感光フィルムＦを遮光する。
【００５３】
また、ステップ２０５で、レンズアレイ５８の前回の走査が復走査と判断されると、ステップ２０７へ進む。ステップ２０７では、走査制御部８２がモーター６８を作動させてレンズアレイ５８をステップ２０３で決定された走査速度で往走査させ、液晶画面１４の画像を感光フィルムＦの感光面に結像する。そして、レンズアレイ５８が往走査されたところで、走査制御部８２は、モーター６８を停止させてレンズアレイ５８を待機させ、感光フィルムＦを遮光する。
【００５４】
そして、ステップ２０８へ進み、走査制御部８２が、走査した方向をメモリに記憶する。最後に、ステップ２０９で、排出ローラ２６（図３参照）が駆動され、露光済の感光フィルムＦが展開、排出され、処理ルーチンが終了する。
【００５５】
このように、レンズアレイ５８を往走査させたところで次の結像時まで待機させ、次の結像時に復走査するようにしたことによって、感光フィルムＦの感光面が結像時以外に感光してしまうことが、完全に防止される。
【００５６】
［シャッタの変形例▲１▼］
図１６、図１７に示すように、印刷装置２１のシャッタ２５には、遮光シート８４が入射窓２２に面して設けられている。遮光シート８４は幅方向に開口され、この開口された部分に、レンズアレイ５８が取り付けられている。
【００５７】
遮光シート８４は、レンズアレイ５８の長手方向に直交する方向の両端部をシャフト８６によって巻き取られている。モーター６８を作動させリードスクリュー６２を回転させると、レンズアレイ５８に押し引きされて、遮光シート８４は、シャフト８６から巻き出され、又は巻き取られて、レンズアレイ５８は走査される。
【００５８】
シャフト８６には、図示しないばねによって遮光シート８４を巻き取る方向（図中矢印Ａ方向）に回転力が付与されており、遮光シート８４はシャフト８６から張力を付与されている。このため、遮光シートが弛んでできる隙間から光が感光フィルムＦの感光面に射し込むことが防止される。
【００５９】
なお、レンズアレイ５８に替えて、図１８に示す多孔板８８のピンホールで液晶画面１４からの光を収束させてもよく、図１９に示す遮光シート８４に形成されたスリット９２でライン状に収束させてもよく、また、図２０に示すスリット状の筒９４も適用可能である。
【００６０】
［シャッタの変形例▲２▼］
図２１、図２２に示すように、印刷装置２３のシャッタ２７には、複数枚の遮光板９６がスライド可能に重ねて設けられている。遮光板９６の幅方向の両端部にはフック９６Ａが形成され上下のフック９６Ａが係止することで遮光板９６が順送りされる構成である。
【００６１】
また、フック９６Ａを連結するようにしてレンズアレイ５８が取り付けられている。このレンズアレイ５８の移動機構は図１２と同様である。即ち、モーター６８を作動させ、リードスクリュー６２を回転させると、レンズアレイ５８は遮光板９６をスライドさせながら移動し、ライン状に液晶画面１４の画像を感光フィルムＦの感光面に結像して矢印方向に走査して行く。
【００６２】
［シャッタの変形例▲３▼］
図２３に示すように、シャッタ２９には、通過する光を収束可能な大きさの開口９８Ａが縦横に所定のピッチで形成された格子板９８が、感光フィルムＦの感光面に面して２枚重ねて設けられている。その内、感光フィルムＦに面して配置された格子板９８は、リンク機構１１２、引張コイルバネ１１４によってスライド可能とされている。
【００６３】
即ち、下側の格子板９８は常時引張コイルバネ１１４により矢印方向の付勢力が付与され、ガタ付きが押えられている。スライドする時は、モータ１１３を駆動してリンク機構１１２を回動させ引張コイルバネ１１４の付勢力と反対方向へ格子板９８を押し出せばよい。
【００６４】
図２４（ａ）に示すように、上下の開口９８Ａが重なるように格子板９８を移動させると、バックライト１８から発光され液晶画面１４を透過し、入射窓２２に入射した光は、開口９８Ａを通過する際、収束されて感光フィルムＦの感光面に結像される。
【００６５】
また、図２４（ｂ）に示すように、開口９８Ａを隔てる隔壁９８Ｂと、開口９８Ａが重なるように格子板９８を移動させると、入射窓２２に入射した光は、２枚の格子板９８によって遮断され、感光フィルムＦの感光面は感光されない。
【００６６】
このように絞り機構にシャッタ機能を併せて持たせるようにしたので、シャッタ機能のスペースの分だけ省スペース化でき、印刷装置を小型化できる。
【００６７】
［シャッタの変形例▲４▼］
図２５に示すように、シャッタ３１には、通過する光を収束可能な大きさの矩形状の開口１１６Ａが縦横に所定のピッチで形成された格子板１１６が、感光フィルムＦの感光面に面して設けられている。また、開口１１６Ａを隔てる隔壁１１６Ｂの上部には、開口１１６Ａを開閉する蓋１１６Ｃが屈曲可能に形成されている。
【００６８】
そして、ワイヤー１１８が略平行に且つ蓋１１６Ｃと同じ間隔で張られた枠体１２２が、格子板１１６の上面に載置されている。この枠体１２２は、図２３に示す駆動機構と同様にリンク機構１１２、引張コイルバネ１１４、及びモーター１１３によってスライド可能とされている。
【００６９】
図２６（ａ）に示すように、ワイヤー１１８が隔壁１１６Ｂの上に位置するように枠体１２２を移動させると、蓋１１６Ｃは弾性復帰して直立して開かれ、光が開口１１６Ａを通過する。これによって、感光フィルムＦの感光面が感光される。
【００７０】
また、図２６（ｂ）に示すように、ワイヤー１１８が開口１１６Ａの上に位置するように枠体１２２を移動させると蓋１１６Ｃは屈曲され開口１１６Ａを閉じる。これによって、感光フィルムＦの感光面が遮光される。
【００７１】
［測光方法の変形例］
図２に示すように、印刷装置１０は液晶画面１４に密着した状態で液晶画面１４の測光を行うが、図２７に示すように、印刷装置３０は、携帯電話１３の液晶画面１４から離れた状態でも液晶画面１４の測光を行うことができる。
【００７２】
印刷装置３０の測光方法について説明する。印刷装置３０では、電源１２５（図２９参照）が投入された後、図２８に示す処理ルーチンが実行され、ステップ３０１へ進む。ステップ３０１では、測光部１２６（図２９参照）によって液晶画面１４を透過した光量が測光される。
【００７３】
そして、ステップ３０２に進む。ステップ３０２では、印刷装置３０に備えられた測光ボタン１２８（図２７、図２９参照）が押されるまで否定判定が繰り返され、肯定されるとステップ３０３に進む。
【００７４】
ステップ３０３では、露光量決定部１３２（図２９参照）が、測光ボタン１２８が押された時に測光部１２６によって測光されていた光量に基づいて露光量を決定する。このため、印刷装置３０を液晶画面１４から離した状態でも液晶画面１４を透過した光量を測光できる。
【００７５】
そして、ステップ３０４に進む。ステップ３０４では、走査速度演算部１３４が、露光量決定部１３２で決定された露光量に基づいて、マイクロレンズ５８の走査速度を演算する。
【００７６】
そして、ステップ３０５に進む。ステップ３０５では、プリントボタン１３６が押されるまで否定判定を繰り返し、ステップ３０６に進む。ステップ３０６では、測光ボタン１２８が押されてから所定時間経過したか否かが判断され、所定時間経過した場合は、本ルーチンのスタートに戻る。即ち、ステップ３０４で決定されたマイクロレンズアレイ５８の走査速度がクリアーされる。
【００７７】
そして、ステップ３０５で図３０に示すように、印刷装置３０が液晶画面１４に密着された状態でプリントボタン１３６が押されるとステップ３０６に進む。ステップ３０６では、走査制御部１３８が、モーター６８を作動させてステップ３０４で決定された走査速度でレンズアレイ５８を走査させる。そして、ステップ３０８に進み、露光済みの感光フィルムＦが排出ローラ２６によって展開、排出され、本ルーチンを終了する。
【００７８】
このように、印刷装置３０を液晶画面１４から離した状態で液晶画面１４を透過した光量を測光できるので、視覚で感じる液晶画面１４の光量と等しい光量に基づいて露光量を決定できる。これによって、液晶画面１４の画像が、視覚が感じる明るさと同じ明るさで感光フィルムＦの感光面に結像される。
【００７９】
なお、図２３、図２５に示すシャッタ２９、３１については通常のカメラと同様にシャッタの開閉速度で露光量が調整される。
【００８０】
［色相（カラーバランス）補正機構］
図３１に示すように、印刷装置４０には、Ｒ（レッド）光を測光するＲ測光部１４２Ｒ、Ｇ（グリーン）光を測光するＧ測光部１４２Ｇ、Ｂ（ブルー）光を測光するＢ測光部１４２Ｂが備えられている。
【００８１】
また、図３２に示すように、レンズアレイ５８に面して補正フィルタユニット１４４が配置されている。この補正フィルタユニット１４４は、Ｒ光を補正するＲ補正フィルタ１４４Ｒ、Ｇ光を補正するＧ補正フィルタ１４４Ｇ、Ｂ光を補正するＢ補正フィルタ１４４Ｂで構成されている。Ｒ補正フィルタ１４４Ｒ、Ｇ補正フィルタ１４４Ｇ、Ｂ補正フィルタ１４４Ｂは、それぞれレンズアレイ５８に沿って延出している。
【００８２】
補正フィルタユニット１４４は、図示しないスライドレールによって長手方向の両端部をスライド可能に支持されると共に、長手方向の一端部から延出する軸部１４４Ａをフィルタ切換えレバー１４６に支持されている。このフィルタ切換えレバー１４６が、切換えモーター１４８によって回動されて軸部１４４Ａが押されて補正フィルタユニット１４４がスライドする。そして、切換えモーター１４８は、レンズアレイ５８の長手方向の一端部に固定されている。このため、補正フィルタユニット１４４は、レンズアレイ５８と一緒に走査される。
【００８３】
ここで、補正フィルタユニット１４４の切換え方法について説明する。印刷装置４０では、電源１４１（図３４参照）が投入されると、図３３に示す処理ルーチンが実行され、ステップ４０１へ進む。ステップ４０１では、Ｒ測光部１４２Ｒ、Ｇ測光部１４２Ｇ、Ｂ測光部１４２Ｂ（図３１、図３４参照）によって液晶画面１４を透過したＲ光、Ｇ光、Ｂ光の光量が測光される。なお、ステップ４０１では、フィルタ切換えレバー１４６が傾斜しており補正フィルタユニット１４４がレンズアレイ５８の上方から退避している。即ち、何れの補正フィルタもレンズアレイ５８と感光フィルムＦとの間には配置されていない。
【００８４】
そして、ステップ４０２に進む。ステップ４０２では、印刷装置４０に備えられた測光ボタン１５２（図３１、図３４参照）が押されるまで否定判定が繰り返され、肯定されるとステップ４０３に進む。
【００８５】
ステップ４０３では、色相検出部１５４（図３４参照）が、測光ボタン１５２が押された時にＲ測光部１４２Ｒ、Ｇ測光部１４２Ｇ、Ｂ測光部１４２Ｂによって測光されていたＲＧＢ光の光量に基づいて液晶画面１４（図３５参照）の色相を検出する。
【００８６】
そして、ステップ４０４に進む。ステップ４０４では、モーター制御部１５６が、色相検出部１５４で検出された色相に基づいて、切換えモーター１４８を作動させ、図３５に示すように何れかの補正フィルタをレンズアレイ５８と感光フィルムＦとの間に配置する。例えば、Ｒの光量が多い場合、赤味がかった画像と判断して補正フィルタ１４４Ｂが使用され、色味補正が行われる。
【００８７】
そして、ステップ４０５に進む。ステップ４０５では、プリントボタン１５８が押されるまで否定判定を繰り返し、ステップ４０６に進む。ステップ４０６では、測光ボタン１５２が押されてから所定時間経過したか否かが判断され、所定時間経過した場合は、本ルーチンのスタートに戻る。即ち、モーター制御部１５６が、切換モーター１４８を作動させて補正フィルタユニット１４４をレンズアレイ５８と感光フィルムＦとの間から退避させる。
【００８８】
そして、ステップ４０５でプリントボタン１５８が押されるとステップ４０６に進む。ステップ４０６では、走査制御部１６０が、モーター６８を作動させてレンズアレイ５８を走査させる。
【００８９】
図３５に示すように、液晶画面１４を透過した光が、例えばＢ補正フィルタ１４４Ｂを透過して感光フィルムＦの感光面に入射する。これによって、液晶画面１４を透過したＲ光が補正され、液晶画面１４の画像が適当な色相で感光フィルムＦの感光面に結像される。
【００９０】
そして、ステップ４０８に進み、露光済みの感光フィルムＦが排出ローラ２６によって展開、排出され、本ルーチンを終了する。
【００９１】
［色相補正機構の変形例］
図３６、図３７に示すように、印刷装置４０の変形例である印刷装置５０では、補正フィルタユニット１６２が手動で切換えられる。印刷装置５０には、補正フィルタを手動で切換えるための切換えスイッチ１６４が備えられている。この切換えスイッチ１６４は、携帯電話の液晶画面がメーカーや型式によって有する色相特性に適応する補正フィルタに切換える。
【００９２】
例えば、メーカーＡの携帯電話の場合、何れの補正フィルタもレンズアレイ５８と感光フィルムＦとの間に配置されず、メーカーＢ、メーカーＣの携帯電話の場合、Ｒ補正フィルタ１６２Ｒがレンズアレイ５８と感光フィルムＦとの間に配置されるといった具合である。
【００９３】
［絞り機構］
図３８、図３９に示すように、印刷装置６０では、通過する光を収束可能な大きさの開口１６６Ａが縦横に多数形成された多孔板１６６が、入射窓２２と感光フィルムＦとの間に配置されている。
【００９４】
図４０に示すように、多孔板１６６は、周辺部の開口率が中心部の開口率よりも高くなっている。具体的には、図４１（ａ）、４１（ｂ）に示すように、周辺部の開口１６６ＡのピッチＰ１と中心部の開口１６６ＢのピッチＰ２とが等しく、周辺部の開口１６６Ａの内径Ｄ１が中心部の開口１６６Ｂの内径Ｄ２よりも大きくなっている。
【００９５】
これによって、多孔板１６６の周辺部は、中心部よりも多量の光を通過できるので、バックライト１８の光量むらによる液晶画面１４の周辺部の光量の低下を打ち消すことができる。なお、開口率とは、開孔率（％）＝（（多孔板１６６の所定範囲における開口１６６Ａ（１６６Ｂ）の面積の合計）／（多孔板１６６の所定範囲の面積））×１００を言う。
【００９６】
［絞り機構の変形例▲１▼］
図４２に示すように、多孔板１６８は、周辺部の開口率が中心部の開口率よりも高くなっている。具体的には、図４３（ａ）、図４３（ｂ）に示すように、周辺部の開口１６８Ａの内径Ｄ１は、中心部の開口１６８Ｂの内径Ｄ２よりも大きくなっている。また、中心部の開口１６８ＢのピッチＰ２は周辺部の開口１６８ＡのピッチＰ１よりも小さくなっている。
【００９７】
これによって、液晶画面１４の画像を中心部から周辺部にかけて均一な明るさで感光フィルムＦに結像できると共に、液晶画面１４の画像の中心部に写った被写体を周辺部よりも鮮明に結像できる。
【００９８】
なお、中心部から周辺部にかけて、開口１６８Ａ、１６８Ｂのピッチ、内径を除々に拡大させることによって、結像された画像に明暗、解像度の境界ができなくなる。
【００９９】
［携帯電話との接続機構］
図４に示すように、印刷装置１０の入射窓２２の周辺には、電源端子１７０、密着検出端子１７２、通信端子１７４が設けられている。一方、図１に示すように、携帯電話１２には、液晶画面１４の周辺に、電源端子１７６、密着検出端子１７８、通信端子１８０が設けられている。
【０１００】
入射窓２２が液晶画面１４に密着すると、各端子が接続される。電源端子１７０と電源端子１７６が接続されると、印刷装置１０の制御部１８４（図４４参照）は、携帯電話１２から印刷装置１０に電源を供給させる。これによって、印刷装置１０に電池を備える必要がないので、印刷装置１０を電池のスペースの分だけ小型化できる。
【０１０１】
また、密着検出端子１７０と密着検出端子１７８とが接続されると、印刷装置１０の制御部１８４が、入射窓２２が液晶画面１４に密着したことを検出し、印刷装置１０の表示部１８２（図１参照）の表示を点滅させる。これによって、ユーザーが、入射窓２２が液晶画面１４に密着したことを確認できる。
【０１０２】
さらに、通信端子１７４と通信端子１８０が接続されると、携帯電話１２から液晶画面１４の画像情報（明るさ、色相等）が印刷装置１０の制御部１８４に通信される。これによって、測光機能や色相検出機能を印刷装置１０に備える必要がなくなるので、印刷装置１０を簡素化できる。
【０１０３】
なお、印刷装置１０の制御部１８４が、各端子が接続されると印刷装置１０の電源部１８５（図４４参照）をオンにするようにすると、印刷装置１０に電源スイッチを備える必要がなくなり、部品コストを低減できる。
【０１０４】
［プリントボタンの位置の変形例］
図１に示すように、印刷装置１０では、プリントボタン７２が印刷装置１０の背面に備えられているが、図４５に示すように、印刷装置７０では、プリントボタン７３が入射窓２２の周辺に配置されている。このため、印刷装置７０では、入射窓２２が液晶画面１４に密着されると、プリントボタン７３が押し込まれる。
【０１０５】
プリントボタン７３が押し込まれると、制御部７５がシャッタ２５（図４６参照）を開放させる。これによって、入射窓２２が液晶画面１４に密着されると、液晶画面１４の画像が自動的に感光フィルムＦの感光面に結像される。
【０１０６】
［液晶画面の制御方法］
ここまで、印刷装置側で、露光量を調整し、色相を補正する印刷装置について説明してきたが、以下、露光量調整、色相補正の機能を有しないシンプルな構成の印刷装置８０に対応できる仕様の携帯電話１８６（印刷装置８０、携帯電話１８６は図４７参照）の制御方法について説明する。
【０１０７】
携帯電話１８６の電源が投入されると、図４８に示す処理ルーチンが実行され、ステップ５０１に進む。ステップ５０１では、制御部１８８（図４９参照）が、液晶画面１４を通常の状態で表示する。
【０１０８】
そして、ステップ５０２に進む。ステップ５０２では、制御部１８８は、プリントモードボタン１９０（図４７参照）が押されるまで否定判定を繰り返す。プリントモードボタン１９０が押されると、ステップ５０３に進む。ステップ５０３では、制御部１８８が、液晶画面１４の画像を左右反転表示する。これによって、液晶画面１４を透過した光が感光フィルムＦの感光面に直射すると液晶画面１４の画像が正しい方向で結像される。従って、印刷装置８０に光の方向を変えるミラーを備える必要がないので、印刷装置８０を小型化できる。
【０１０９】
そして、ステップ５０４に進む。ステップ５０４では、制御部１８８が、液晶画面１４のカラーバランス、γ補正カーブ、バックライト電圧等の表示パラメーターテーブルを感光フィルムＦのプリントに適した条件に切換える。これによって、印刷装置８０側で、露光量調整、色相補正等をしなくても液晶画面１４の画像が、適当な明るさ、色相で感光フィルムＦに結像される。
【０１１０】
そして、ステップ５０５に進む。ステップ５０５では、プリントモードボタン１９０が押されると、本ルーチンのスタートに戻る。即ち、制御部１８８によってプリントモードが解除され、液晶画面１４は通常の表示状態となる。
【０１１１】
また、プリントモードボタン１９０が押されない場合は、ステップ５０６に進む。ステップ５０６では、通信端子１７４から通信端子１８０に信号が送られプリントが完了されたか否かが判断され、プリントが完了するまで否定判定を繰り返し、プリントが完了したと判断すると、制御部１８８は、液晶画面１４を通常の表示に切換える。これで本ルーチンが終了する。
【０１１２】
［液晶画面の制御方法の変形例▲１▼］
図５０に示すように、露光量調整、色相補正の機能を有しないシンプルな構成の印刷装置８０に対応する仕様の携帯電話１９２では、電源が投入されると、図５１に示す処理ルーチンが実行され、ステップ６０１に進む。ステップ６０１では、制御部１９４（図５２参照）が、液晶画面１４を通常の状態で表示する。
【０１１３】
そして、ステップ６０２に進む。ステップ６０２では、制御部１９４が、印刷装置８０の密着検出端子１７２（図５０、図５２参照）と携帯電話１９２の密着検出端子１７８（図５０、図５２参照）が接続されたか否かを判断する。密着検出端子１７２と密着検出端子１７８とが接続され、入射窓２２が液晶画面１４に密着したことが検出されると、ステップ６０３に進む。
【０１１４】
ステップ６０３では、制御部１９４が、検出信号を受けて液晶画面１４の画像を左右反転表示する。そして、ステップ６０４に進む。ステップ６０４では、制御部１９４が、液晶画面１４のカラーバランス、γ補正カーブ、バックライト電圧等の表示パラメーターテーブルをプリントに適した条件に切換える。
【０１１５】
そして、ステップ６０５に進む。ステップ６０５では、プリントボタン１９３（図５２参照）が押されるまで否定判定が繰り返され、プリントボタン１９３が押されると、プリント処理がされる。これによって、印刷装置８０側で、露光量調整、色相補正等をしなくても液晶画面１４の画像が、適当な明るさ、色相等で感光フィルムＦに結像される。
【０１１６】
そして、ステップ６０６に進む。ステップ６０５では、密着検出端子１７２と密着検出端子１７８との接続が断たれるまで否定判定を繰り返し、液晶画面１４の表示パラメータテーブルがプリントに適した条件に維持される。そして、検出信号が途切れると、本ルーチンのスタートに戻る。即ち、プリントモードが解除され、液晶画面１４は通常の表示状態となる。
【０１１７】
なお、携帯電話１９２では、密着検出端子１７２と密着検出端子１７８との接続及び切断によって液晶画面１４の表示状態を切換えるようにした。しかし、これに限らず、印刷装置８０の電源端子１７０と携帯電話１９２の電源端子１７６との接続及び切断、又は印刷装置８０の通信端子１７４と携帯電話１９２の通信端子１８０との接続及び切断によって、液晶画面１４の表示状態を切換えるようにしても良い。
【０１１８】
［液晶画面の制御方法の変形例▲２▼］
図５３、図５４に示すように、印刷装置９０に収納された感光フィルムＦのサイズよりも大サイズの液晶画面１５を備えるデジタルカメラ１３における液晶画面１５の制御方法について説明する。
【０１１９】
デジタルカメラ１３では、上述した携帯電話１９２と同様に、印刷装置９０の密着検出端子１７２とデジタルカメラ１３の密着検出端子１７８が接続されると、液晶画面１４が左右反転表示され、プリント用の表示パラメーターテーブルに切換えられる。これと共に、図５５（ａ）、（ｂ）に示すように、液晶画面１５の画像サイズを縮小して感光フィルムＦの感光面のサイズに一致させる。これによって、液晶画面１５の画像全体を感光フィルムＦの感光面に結像できる。
【０１２０】
この際、液晶画面１５の余白部１５Ａには、印刷装置９０の感光フィルムＦの残り枚数、印刷装置９０がプリント中であること、印刷装置９０のプリント残り時間等の印刷装置９０の処理情報を表示する。
【０１２１】
また、図５６に示すように、余白部１５Ａにバーコード１５Ｂを表示して印刷装置９０のラインセンサ１９６に読み取らせ、液晶画面１５の画像の明るさ、色相等の情報を印刷装置９０に伝達する。そして、印刷装置９０の露光制御部１９５が、バーコード１５Ｂの情報に基づいてシャッタ１９７（図５７参照）の開放時間、色相制御機構１９９を制御する。
【０１２２】
なお、バーコード１５Ｂに替えて、図５８に示すように、余白部１５Ａのデータ表示部１５Ｃの明暗を印刷装置のセンサ１９８に読み取らせ、液晶画面１５の画像情報を印刷装置９０に伝達するようにしても良い。
【０１２３】
以上、本発明を液晶画面に密着して液晶画面の画像を印刷する印刷装置を例に取って説明したが、「表示画面」は、液晶画面に限らず、有機ＥＬ（Ｅｌｅｃｔｒｏ  Ｌｕｍｉｎｅｓｃｅｎｃｅ）表示画面等の他のものも適用可能である。
【０１２４】
【発明の効果】
本発明は上記構成としたので、表示画面に密着して筐体内に収納された感光材料の感光面に表示画面の画像を形成する印刷装置において、画像形成時以外には感光材料の感光面を遮光し、画像形成時のみ感光材料の感光面に光を入射できる。
【図面の簡単な説明】
【図１】本実施形態に係る印刷装置と印刷装置によって液晶画面を印刷される携帯電話を示す斜視図である。
【図２】本実施形態に係る印刷装置と印刷装置によって液晶画面を印刷される携帯電話を示す斜視図である。
【図３】本実施形態に係る印刷装置と印刷装置によって液晶画面を印刷される携帯電話を示す断面図である。
【図４】本実施形態に係る印刷装置を示す斜視図である。
【図５】本実施形態に係る印刷装置と印刷装置によって液晶画面を印刷される携帯電話を示す断面図である。
【図６】液晶側位置決めマークと印刷側位置決めマークを示す拡大図である。
【図７】液晶側位置決めマークと印刷側位置決めマークを示す拡大図である。
【図８】液晶側位置決めマークと印刷側位置決めマークを示す拡大図である。
【図９】液晶側位置決めマークを携帯電話に貼り付けるための貼付治具と、携帯電話を示す斜視図である。
【図１０】液晶側位置決めマークを貼付治具を使用して携帯電話に貼り付ける状態を示す斜視図である。
【図１１】本実施形態に係る印刷装置を示す斜視図である。
【図１２】本実施形態に係る印刷装置のシャッタを示す斜視図である。
【図１３】（ａ）本実施形態に係る印刷装置の断面図である。
（ｂ）本実施形態に係る印刷装置の断面図である。
【図１４】本実施形態に係る印刷装置のレンズアレイの走査方法を示すフローチャートである。
【図１５】本実施形態に係る印刷装置の露光量制御機構を示す概略図である。
【図１６】本実施形態に係る印刷装置のシャッタを示す斜視図である。
【図１７】本実施形態に係る印刷装置の断面図である。
【図１８】本実施形態に係る印刷装置のシャッタを示す斜視図である。
【図１９】本実施形態に係る印刷装置のシャッタを示す斜視図である。
【図２０】本実施形態に係る印刷装置のシャッタを示す斜視図である。
【図２１】本実施形態に係る印刷装置のシャッタを示す斜視図である。
【図２２】本実施形態に係る印刷装置の断面図である。
【図２３】本実施形態に係る印刷装置のシャッタを示す斜視図である。
【図２４】（ａ）本実施形態に係る印刷装置のシャッタと携帯電話の液晶画面を示す概略断面図である。
（ｂ）本実施形態に係る印刷装置のシャッタと携帯電話の液晶画面を示す概略断面図である。
【図２５】本実施形態に係る印刷装置のシャッタを示す斜視図である。
【図２６】（ａ）本実施形態に係る印刷装置のシャッタと携帯電話の液晶画面を示す概略断面図である。
（ｂ）本実施形態に係る印刷装置のシャッタを示す概略断面図である。
【図２７】本実施形態に係る印刷装置と印刷装置によって液晶画面を印刷される携帯電話を示す斜視図である。
【図２８】本実施形態に係る印刷装置の露光量制御方法を示すフローチャートである。
【図２９】本実施形態に係る印刷装置の露光量制御機構を示す概略図である。
【図３０】本実施形態に係る印刷装置と印刷装置によって液晶画面を印刷される携帯電話を示す斜視図である。
【図３１】本実施形態に係る印刷装置を示す斜視図である。
【図３２】本実施形態に係る印刷装置の補正フィルタユニット切換え機構を示す斜視図である。
【図３３】本実施形態に係る印刷装置の補正フィルタユニットの切換え方法を示すフローチャートである。
【図３４】本実施形態に係る印刷装置の色相補正機構を示す概略図である。
【図３５】本実施形態に係る印刷装置を示す断面図である。
【図３６】本実施形態に係る印刷装置を示す斜視図である。
【図３７】本実施形態に係る印刷装置の補正フィルタユニット切換え機構を示す斜視図である。
【図３８】本実施形態に係る印刷装置と印刷装置によって液晶画面を印刷される携帯電話の概略を示す斜視図である。
【図３９】本実施形態に係る印刷装置と印刷装置によって液晶画面を印刷される携帯電話の概略を示す断面図である。
【図４０】本実施形態に係る印刷装置の多孔板を示す斜視図である。
【図４１】（ａ）本実施形態に係る印刷装置の多孔板を示す拡大図である。
（ｂ）本実施形態に係る印刷装置の多孔板を示す拡大図である。
【図４２】本実施形態に係る印刷装置の多孔板を示す斜視図である。
【図４３】（ａ）本実施形態に係る印刷装置の多孔板を示す拡大図である。
（ｂ）本実施形態に係る印刷装置の多孔板を示す拡大図である。
【図４４】本実施形態に係る印刷装置の各端子の制御部の概略図である。
【図４５】本実施形態に係る印刷装置と印刷装置によって印刷される液晶画面を備える携帯電話を示す斜視図である。
【図４６】本実施形態に係る印刷装置のシャッタの開放を制御する制御部の概略図である。
【図４７】本実施形態に係る印刷装置と印刷装置によって液晶画面を印刷される携帯電話を示す斜視図である。
【図４８】本実施形態に係る携帯電話の液晶画面の制御方法を示すフローチャートである。
【図４９】本実施形態に係る携帯電話の液晶画面の制御機構を示す概略図である。
【図５０】本実施形態に係る印刷装置と印刷装置によって液晶画面を印刷される携帯電話を示す斜視図である。
【図５１】本実施形態に係る携帯電話の液晶画面の制御方法を示すフローチャートである。
【図５２】本実施形態に係る携帯電話の液晶画面の制御機構を示す概略図である。
【図５３】本実施形態に係る印刷装置と印刷装置によって液晶画面を印刷されるデジタルカメラを示す斜視図である。
【図５４】本実施形態に係る印刷装置と印刷装置によって液晶画面を印刷されるデジタルカメラを示す斜視図である。
【図５５】本実施形態に係るデジタルカメラの液晶画面を示す図である。
【図５６】本実施形態に係る印刷装置と印刷装置によって液晶画面を印刷されるデジタルカメラを示す斜視図である。
【図５７】本実施形態に係る印刷装置と印刷装置によって液晶画面を印刷されるデジタルカメラを示す斜視図である。
【図５８】本実施形態に係る印刷装置の露光制御機構を示す概略図である
【図５９】従来例に係る印刷装置を示す断面図である。
【符号の説明】
１０    印刷装置
１４    液晶画面（表示画面）
１５    液晶画面（表示画面）
１６    印刷装置筐体（筐体）
２０    印刷装置
２１    印刷装置
２２    入射窓
２３    印刷装置
３０    印刷装置
４０    印刷装置
５０    印刷装置
５６    蛇腹（遮光手段）
５８    レンズアレイ（線状結像手段）
６０    印刷装置
６２    リードスクリュー（走査手段）
６４    ガイドバー（走査手段）
６６    連結具（走査手段）
６７    連結具（走査手段）
６８    モーター（走査手段）
７０    印刷装置
７４    測光部（測光手段）
７６    露光量決定部（制御手段）
７８    走査速度演算部（制御手段）
８０    印刷装置
８２    走査制御部（制御手段）
８４    遮光シート（遮光手段）
８８    多孔板（線状結像手段）
９０    印刷装置
９２    スリット
９４    筒（線状結像手段）
９６    遮光板（遮光手段）
９８    格子板（開口板）
９８Ａ  開口
１１２  リンク機構（移動手段）
１１３  リンク機構（開閉手段）
１１４  引張コイルバネ（移動手段）
１１５  引張コイルバネ（開閉手段）
１１６  格子板（開口板）
１１６Ａ  開口
１１６Ｂ  隔壁
１１６Ｃ  蓋（蓋部材）
１２２  枠体（開閉手段）
Ｆ      感光フィルム（感光材料）
【図１】
2004294609.tif 000003
【図２】
2004294609.tif 000004
【図３】
2004294609.tif 000005
【図４】
2004294609.tif 000006
【図５】
2004294609.tif 000007
【図６】
2004294609.tif 000008
【図７】
2004294609.tif 000009
【図８】
2004294609.tif 000010
【図９】
2004294609.tif 000011
【図１０】
2004294609.tif 000012
【図１１】
2004294609.tif 000013
【図１２】
2004294609.tif 000014
【図１３】
2004294609.tif 000015
【図１４】
2004294609.tif 000016
【図１５】
2004294609.tif 000017
【図１６】
2004294609.tif 000018
【図１７】
2004294609.tif 000019
【図１８】
2004294609.tif 000020
【図１９】
2004294609.tif 000021
【図２０】
2004294609.tif 000022
【図２１】
2004294609.tif 000023
【図２２】
2004294609.tif 000024
【図２３】
2004294609.tif 000025
【図２４】
2004294609.tif 000026
【図２５】
2004294609.tif 000027
【図２６】
2004294609.tif 000028
【図２７】
2004294609.tif 000029
【図２８】
2004294609.tif 000030
【図２９】
2004294609.tif 000031
【図３０】
2004294609.tif 000032
【図３１】
2004294609.tif 000033
【図３２】
2004294609.tif 000034
【図３３】
2004294609.tif 000035
【図３４】
2004294609.tif 000036
【図３５】
2004294609.tif 000037
【図３６】
2004294609.tif 000038
【図３７】
2004294609.tif 000039
【図３８】
2004294609.tif 000040
【図３９】
2004294609.tif 000041
【図４０】
2004294609.tif 000042
【図４１】
2004294609.tif 000043
【図４２】
2004294609.tif 000044
【図４３】
2004294609.tif 000045
【図４４】
2004294609.tif 000046
【図４５】
2004294609.tif 000047
【図４６】
2004294609.tif 000048
【図４７】
2004294609.tif 000049
【図４８】
2004294609.tif 000050
【図４９】
2004294609.tif 000051
【図５０】
2004294609.tif 000052
【図５１】
2004294609.tif 000053
【図５２】
2004294609.tif 000054
【図５３】
2004294609.tif 000055
【図５４】
2004294609.tif 000056
【図５５】
2004294609.tif 000057
【図５６】
2004294609.tif 000058
【図５７】
2004294609.tif 000059
【図５８】
2004294609.tif 000060
【図５９】
2004294609.tif 000061